(57)【要約】【課題】  新しい利き手・利き足理論に基づく自律神経疾患克服法に用いる運動補助具を容易に形成して拡布し得るようにするためのアダプタ及び運動補助具を提供する。【解決手段】  錘体２と、錘体を収容保持するアダプタ３とで構成する。錘体を、内部に液体等の錘材を所望量充填・収容させたペットボトルで構成する。アダプタを、上端開放部３２と保持孔部３４とで上下開口した筒状の合成樹脂製の本体部３１により形成する。上端開放部からキャップ２２を下にした錘体を差し込み、そのまま保持孔部に挿通させて内部に保持させる。親指と小指とで摘んで吊り下げ支持するための摘み部３５として、滑らかな屈曲面により凹状に形成する。【選択図】      図４
2007330482.tif 000002
【特許請求の範囲】
【請求項１】
胴部から先端側に頸部が突出する錘体を吊り下げ支持するためにその錘体の外面に装着される自律神経疾患等改善運動補助具用アダプタであって、
上記錘体を内部に収容する筒状の本体部を備え、
上記本体部は、使用状態においてその上端面に上記錘体を上から下に挿入することによりその錘体が内部に受け入れられるように開口状態かあるいは開放可能とされた上端開放部と、下端部に上記錘体の頚部が上から下に挿入可能でかつその胴部よりも小径に設定されて上記頚部の挿入によりこの頚部を下にした状態で上記錘体を保持し得る保持孔部と、上端部の外側表面部位であって左右両側方に対し相反する側に臨む一対の表面部位に形成された凹状の摘み部とを備え、
上記摘み部は滑らかな凹状の屈曲面により構成されている、
ことを特徴とする自律神経疾患等改善運動補助具用アダプタ。
【請求項２】
胴部から先端側に頸部が突出する錘体を吊り下げ支持するためにその錘体の外面に装着される自律神経疾患等改善運動補助具用アダプタであって、
上記錘体の胴部を両側方から挟み込むプレート状の本体部を備え、
上記本体部は、一対の側片と、一対の側片の間に介在される中央片とが少なくとも互いの境界位置において折り畳み可能に連結されて、平面状に展開された状態又は上記一対の側片を互いに重ね合わせた折り畳み状態と、下位置で水平にした上記中央片から上記一対の側片が互いに平行に起立して両者間に上記錘体の胴部を挟み込む使用状態とに変形可能に構成され、
上記一対の側片の各先端部位置の外側表面部位には滑らかな屈曲面により構成された凹状の摘み部が形成される一方、上記中央片には上記使用状態において上記錘体の頚部が上から下に挿入可能でかつその胴部よりも小径に設定されて上記頚部の挿入によりこの頚部を下にした状態で上記錘体を保持し得る保持孔部が形成されている
ことを特徴とする自律神経疾患等改善運動補助具用アダプタ。
【請求項３】
請求項２に記載の自律神経疾患等改善運動補助具用アダプタであって、
上記錘体の胴部が上記本体部の一対の側片間に挟み込まれた状態を保持して錘体が本体部から脱落しないよう上記一対の側片同士を抱え込むように連結する連結手段をさらに備えている、自律神経疾患等改善運動補助具用アダプタ。
【請求項４】
胴部から先端側に頸部が突出する錘体を吊り下げ支持するためにその錘体の外面に装着される自律神経疾患等改善運動補助具用アダプタであって、
杆状に形成された合成樹脂製の本体部を備え、
上記本体部は、内側に保持孔部を区画形成する中央リング部と、中央リング部の外周端から相反する側にそれぞれ延びる一対の延長杆部と、この両延長杆部の先端側各位置に一端が連結される平面状の一対の小片部と、両小片部の他端からそれぞれ延びて互いに連結可能な一対の連結片部とを備え、
上記保持孔部は上記錘体の頚部が上から下に挿入可能でかつその胴部よりも小径に設定されて上記頚部の挿入によりこの頚部を下にした状態で上記錘体を保持し得るように形成され、
上記各小片部の外側表面部位には滑らかな屈曲面により構成された凹状の摘み部が形成されている、
ことを特徴とする自律神経疾患等改善運動補助具用アダプタ。
【請求項５】
胴部から先端側に頸部が突出する錘体と、この錘体に適用する請求項１〜請求項４のいずれかに記載の自律神経疾患等改善運動補助具用アダプタとを備えている
ことを特徴とする自律神経疾患等改善運動補助具。
【請求項６】
請求項５に記載の自律神経疾患等改善運動補助具であって、
上記錘体は、内部に液体又は粉状・粒状の固体からなる錘材を収容させた開閉キャップ付きペットボトルにより構成されたものである、自律神経疾患等改善運動補助具。
【発明の詳細な説明】
【技術分野】
【０００１】
本発明は、肩こり，めまい，頭痛，過換気症候群，うつ病，パニック障害等の自律神経疾患、脳卒中もしくはパーキンソン病などに伴う種々の症状の改善治療もしくは軽快治療のために用いられる自律神経疾患等改善運動補助具並びに自律神経疾患等改善運動補助具用アダプタに関する。
【背景技術】
【０００２】
従来、自律神経疾患の一つである肩こりを軽快させるものとして、低周波治療器（例えば特許文献１参照）や、動力式のペダルにより足を回転させる運動器具（例えば特許文献２参照）などの使用が提案されている。
【０００３】
【特許文献１】特開平８−７４４号公報
【特許文献２】特開２００３−１４４５０２号公報
【発明の開示】
【発明が解決しようとする課題】
【０００４】
ところで、一般的には、自律神経疾患の上述の諸症状については、現代医学では、一時的又はある程度までは軽快するものの、根本的な症状改善又は軽快を得ることはできないといわれている。
【０００５】
かかる現状下において、本発明者は、長年の診療経験からある種の矯正運動を行うことにより、上記の諸症状を軽快に導いて克服する方法を見出した。かかる運動療法は後述の如き本発明者が導き出した利き手・利き足理論に基づき見出した方法であり、その実践に所定の機能を有する運動補助具を用いるものである。かかる運動補助具には、前提として備えるべき所定の基本機能（例えば、所定の摘み力を発揮した状態で吊り下げ支持し得る機能）に加え、患者に応じて設定すべき機能（例えば、負荷重量である自重）等が当該運動補助具に要求される。
【０００６】
ところが、このような運動補助具を特別に製作して病院もしくは診療所に備えるだけでは、自律神経疾患という潜在的にも多数いると考えられる患者の症状改善・軽快を図るには全く不十分なものとなる。このため、かかる運動補助具を容易に形成することができ、そして、広く配布することができるような構成にすることが要請される。
【０００７】
本発明は、このような事情に鑑みてなされたものであり、その目的とするところは、本発明者が見出した利き手・利き足理論に基づく自律神経疾患克服法に用いる運動補助具を容易に形成して拡布し得るようにすることであり、そのために患者自身が上記運動補助具を容易に構成し得るようにするためのアダプタ並びにこのアダプタを用いた自律神経疾患等改善運動補助具を提供することにある。
【課題を解決するための手段】
【０００８】
本発明者は、長年の診療経験において色々な自律神経症状が利き手・利き足の如何との関係において共通の特徴があることを見出し、これに着目して種々の検討・観察を経た後に、自律神経疾患を軽快させるための運動療法を理論付ける利き手・利き足理論を確立した。この利き手・利き足理論について、自律神経疾患の一つである肩こりを例にして簡単に説明すると、次の通りである。
【０００９】
すなわち、肩こりの人の背筋を調べると、例えば右肩が凝る人は右の背筋が過度に収縮して硬くなり、左肩が凝る人は左の背筋が過度に収縮して硬くなっている。一方、健康な右足利きの人は左背筋が右背筋に比べ少し硬いのが普通であり、健康な左足利きの人は右背筋が左背筋に比べ少し硬いのが普通である。そして、硬い背筋の方へは体は曲がり難いのが普通でもある。これらより、健康な状態での足（又は臀部）への体重のかかり方は左右で同じではなくて、利き足の違いにより一方に偏っており、その比率として利き足側に６、非利き足側に４という６（利き足）：４（非利き足）を導いたのである。すなわち、右足利きの人であれば左足：右足が４：６、左足利きの人であれば左足：右足が６：４、という比率になる。そして、左右の足（又は臀部）にかかる体重の比率が上記の６（利き足）：４（非利き足）を超えて、いずれかに過剰な負担がかかり例えば７：３というように正常比率が崩れると、過剰負担のかかった足又は臀部と反対側の背筋に異常収縮を引き起こし、この背筋の異常収縮が徐々に上部に進展する結果、肩こりが生じるものと考えられた。従って、肩こり症状を改善・軽快させるには、利き足（又は利き足側臀部）対非利き足（又は非利き足側臀部）にかかる体重の比率を、上記の６（利き足）：４（非利き足）という正しい比率に戻し（矯正し）維持させればよいのである。この正常比率に戻し維持するための方法が、本発明の対象である運動補助具を用いて患者自身が行う運動療法であり、かかる運動補助具を用いる運動療法を本発明者が導き出したのである。
【００１０】
この運動療法とは、例えば右肩が凝っている人ならば、その右手の親指と小指とで運動補助具を摘んで（挟み付け）吊り下げ支持し、この吊り下げ支持した状態でその運動補助具を前後に振る運動を行うようにするものである。これにより、左右の足にかかる体重の比率を正常なものに戻し、この運動の継続によりその正常比率の状態を維持し得ることになる。又、前後に振ることなく吊り下げ支持した状態を維持したまま歩行すれば、アンバランスな背筋収縮に起因する体軸の変位を矯正して歩行の矯正を行うことができるようになる。
【００１１】
かかる親指と小指とによる運動療法のメカニズムは次の通りと考えられる。すなわち、例えば左右の手でそれぞれ親指と小指とで輪を作り、互いに交差させて引っ張り合うと、通常は右利きの人は右手の方が強く左利きの人は左手の方が強いと感じる筈である。ところが、例えば右肩が凝っている人は右手の小指の力が弱くなって、右利きの人であっても左手の方が強いと感じることになる。これは、小指を内側に曲げる筋肉は第７及び第８頚髄と第１胸髄からの神経により支配されるところ、右肩が凝っている人はその神経支配が弱くなるからであると考えられる。
【００１２】
従って、この運動療法に用いる運動補助具に要求される機能としては、次のものが挙げられる。すなわち、患者の体重・年齢等に応じて所定の適切な負荷荷重とすべく吊り下げ支持させる負荷荷重が自在に変更可能であること、吊り下げ支持して前後に振る運動ができるように摘み部から下方に垂下する形状であってかつ重心位置が少なくとも摘み部よりも下方位置にあること、親指と小指とで摘む部分は突起等の存在により摘み易いものであってはならず、自発的意思により力を込めて摘み力を持続しなければ摘んだ状態を維持し得ない表面形状を備えていること、などである。そして、これを達成するために本発明では負荷荷重を実現させる錘体と、摘み部を有して錘体を吊り下げ支持し得るように錘体に装着させるアダプタとで運動補助具を構成するようにしたものである。しかも、かかる運動補助具を患者の誰もが容易に入手して使用できるように、錘体として使用済みのいわゆるペットボトル（ポリエチレンフタレート製ボトルの略称）を利用しアダプタさえあれば誰でもが上記の運動補助具を使用し得るようにしたものである。
【００１３】
具体的には、請求項１に係る発明では、胴部から先端側に頸部が突出する錘体を吊り下げ支持するためにその錘体の外面に装着される自律神経疾患等改善運動補助具用アダプタとして、上記錘体を内部に収容する筒状の本体部を備えものとする。そして、この本体部として、使用状態においてその上端面に上記錘体を上から下に挿入することによりその錘体が内部に受け入れられるように開口状態かあるいは開放可能とされた上端開放部と、下端部に上記錘体の頚部が上から下に挿入可能でかつその胴部よりも小径に設定されて上記頚部の挿入によりこの頚部を下にした状態で上記錘体を保持し得る保持孔部と、上端部の外側表面部位であって左右両側方に対し相反する側に臨む一対の表面部位に形成された凹状の摘み部とを備えるものとする。加えて、上記摘み部を滑らかな凹状の屈曲面により構成することとした。
【００１４】
又、請求項２に係る発明では、胴部から先端側に頸部が突出する錘体を吊り下げ支持するためにその錘体の外面に装着される自律神経疾患等改善運動補助具用アダプタとして、上記錘体の胴部を両側方から挟み込むプレート状の本体部を備えるものとした。そして、この本体部として、一対の側片と、一対の側片の間に介在される中央片とが少なくとも互いの境界位置において折り畳み可能に連結されて、平面状に展開された状態又は上記一対の側片を互いに重ね合わせた折り畳み状態と、下位置で水平にした上記中央片から上記一対の側片が互いに平行に起立して両者間に上記錘体の胴部を挟み込む使用状態とに変形可能な構成とした。又、上記一対の側片の各先端部位置の外側表面部位に対し、滑らかな屈曲面により構成された凹状の摘み部を形成する一方、上記中央片に対し、上記使用状態において上記錘体の頚部が上から下に挿入可能でかつその胴部よりも小径に設定されて上記頚部の挿入によりこの頚部を下にした状態で上記錘体を保持し得る保持孔部を形成するようにした。
【００１５】
さらに、請求項４に係る発明では、胴部から先端側に頸部が突出する錘体を吊り下げ支持するためにその錘体の外面に装着される自律神経疾患等改善運動補助具用アダプタとして、杆状に形成された合成樹脂製の本体部を備えるものとした。そして、その本体部として、内側に保持孔部を区画形成する中央リング部と、中央リング部の外周端から相反する側にそれぞれ延びる一対の延長杆部と、この両延長杆部の先端側各位置に一端が連結される平面状の一対の小片部と、両小片部の他端からそれぞれ延びて互いに連結可能な一対の連結片部とを備えものとした。加えて、上記保持孔部として上記錘体の頚部が上から下に挿入可能でかつその胴部よりも小径に設定されて上記頚部の挿入によりこの頚部を下にした状態で上記錘体を保持し得るように形成し、上記各小片部の外側表面部位に対し滑らかな屈曲面により構成された凹状の摘み部を形成することとした。
【００１６】
以上の各発明の場合、錘体と共に自律神経疾患等改善運動補助具を容易に構成することが可能となり、一体物で特別に運動補助具を形成する場合と比べ、院所の負担又は使用者（患者）の負担を大幅に軽減することが可能となる。そして、摘み部が滑らかな屈曲面により構成された凹状のもので形成されているため、自律神経疾患等改善運動補助具として使用する際には、患者自らの「摘む」という自発意思に基づいて摘んで吊り下げ支持することが必要となり、前述の利き手・利き足理論に基づく自律神経疾患等改善のための運動療法に用いる運動補助具として好適なものとなし得る。特に、請求項１の発明の場合には錘体を内部に収容し得る外装筒形式のアダプタを提供し得ることになる他、単に錘体を上端開放部から差し入れるだけと単純操作で自律神経疾患等改善運動補助具を組み付けることが可能となる。又、請求項２の発明の場合には折り畳みプレート形式のアダプタを提供し得ることになり、展開状態又は折り畳み状態にすることにより、コンパクト化が図られて収納・保管や、携帯が容易となる。なお、この請求項２の発明の場合には、上記錘体の胴部が上記本体部の一対の側片間に挟み込まれた状態を保持して錘体が本体部から脱落しないよう上記一対の側片同士を抱え込むように連結する連結手段をさらに備えることにより（請求項３）、アダプタと錘体との一体感が増し、使用時の操作性を向上させ得る。さらに、請求項４の発明の場合には、コンパクトな杆状（帯板状・つる状又は紐状）形式のコンパクトなアダプタを提供し得ることになり、収納・保管や、携帯が容易となる。
【００１７】
又、請求項５に係る発明では、自律神経疾患等改善運動補助具として、胴部から先端側に頸部が突出する錘体と、この錘体に適用する請求項１〜請求項４のいずれかに記載の自律神経疾患等改善運動補助具用アダプタとを備えたものとした。
【００１８】
この発明の場合、錘体とアダプタとの組み合わせにより自律神経疾患等改善運動補助具を容易に構成し得ることになる上に、アダプタにより上述の各種作用を得ることができるようになる。又、この発明における錘体として、内部に液体又は粉状・粒状の固体からなる錘材を収容させた開閉キャップ付きペットボトルにより構成することができる（請求項６）。このようにすることにより、患者自身の症状の軽重等に応じて設定すべき負荷（錘体の自重）の調整が、種々の自重の錘体を特別に用意する場合と比べ、格段に容易となる上に、負荷の量の変更設定も極めて容易となる。さらに、患者自身でも錘体を自身用として容易に準備することが可能となり、患者はアダプタさえあれば自律神経疾患等改善運動補助具を自身用として得られ、患者の負担も軽減される。
【発明の効果】
【００１９】
以上、説明したように、請求項１〜請求項４のいずれかの自律神経疾患等改善運動補助具用アダプタによれば、錘体と共に自律神経疾患等改善運動補助具を容易に構成することができ、一体物で特別に運動補助具を形成する場合と比べ、院所の負担又は患者（使用者）の負担を大幅に軽減することができるようになる。しかも、摘み部を滑らかな屈曲面により構成された凹状のものに形成しているため、前述の利き手・利き足理論に基づく自律神経疾患等改善のための運動療法に用いる運動補助具として好適なものにすることができる。
【００２０】
特に、請求項１によれば、外装筒形式にして、単に錘体を上端開放部から差し入れるだけと単純操作で自律神経疾患等改善運動補助具を組み付けることができる。又、請求項２によれば、折り畳みプレート形式にして、コンパクト化を図り収納・保管や、携帯の容易化を図ることができ、その際、請求項３によれば、連結手段をさらに備えることにより、アダプタと錘体との一体感を増大させて使用時の操作性の向上を図ることができる。さらに、請求項４によれば、杆状形式にして、コンパクト化を図り収納・保管や、携帯の容易化を図ることができる。
【００２１】
又、請求項５又は請求項６の自律神経疾患等改善運動補助具によれば、錘体とアダプタとの組み合わせにより自律神経疾患等改善運動補助具を容易に構成することができ、その際に、アダプタに基づく上述の各種効果を得ることができるようになる。特に、請求項６によれば、錘体の自重、すなわち、患者自身の症状の軽重等に応じて設定すべき負荷の調整を、種々の自重の錘体を特別に用意する場合と比べ、格段に容易化することができる上に、その自重を変更設定することができるようになる。さらに、患者自身の自律神経疾患等改善運動補助具を使用する上での負担も軽減することができる。
【発明を実施するための最良の形態】
【００２２】
以下、本発明の実施形態を図面に基づいて説明する。
【００２３】
＜第１実施形態＞
図１は、本発明の第１実施形態に係る自律神経疾患等改善運動補助具（以下、単に「運動補助具」という）を構成する錘体２とアダプタ３とを示す。錘体２は、市販の飲料用の水・茶等が充填される容器であるペットボトルを用いたものである。すなわち、通常は、飲後に用済みになる空のペットボトルを、錘体２を構成する本体容器２１として有効利用して、病院又は診療所等の院所に次の錘材と共に備え付けておくか、あるいは、患者（使用者）自らが用意するようにする。そして、この本体容器２１の内部に水等の液体錘材又は砂，砂鉄，鉛玉等の粉状もしくは粒状の錘材のいずかれかの錘材Ｗを所定量注ぎ込んだ後に、キャップ２２で閉栓することにより錘体２を構成する。この錘体２は、不使用時にはキャップ２２で閉栓される小径の頚部２１１を上に、胴部２１２を下にした状態で保管され、使用時には天地を逆転させて上記頚部２１１を下に、上記胴部２１２を上にした状態（図１に示す状態）にされる。
【００２４】
アダプタ３は、図２にも示すように、上下に開口する筒状の本体部３１により構成されたものであり、この本体部３１は下端部を除きほぼ同じ断面形状に設定されている。本体部３１の上端面は上向きに臨んで開口した上端開放部３２とされ、下端部は徐々に絞られてテーパ部３３とされ、このテーパ部３３の先端の下端面が所定内径を有し下向きに開口する保持孔部３４とされている。上記本体部３１は、その上端開放部３２を通して上記使用状態の錘体２の本体容器２１が上から挿入可能で、かつ、本体容器２１の胴部２１２が収容可能な内面を備えている。又、上記テーパ部３３は上記本体容器２１の頚部２１１の略合致した傾斜面を有するように形成され、保持孔部３４は上記本体容器２１のキャップ２２及び頚部２１１が挿通可能なようにキャップ２の外径よりも大きくかつ本体容器２１の胴部２１２よりも小さい内径を有するように形成されている。これにより、頚部２１１を下にした錘体２をアダプタ３の上端開放部３２に上から挿入しその頚部２１１を保持孔部３４に挿通させて突出させることにより、錘体３がアダプタ２の内面により保持されるようになっている。
【００２５】
加えて、上記アダプタ３の本体部３１の上端部の外周面（外側表面部位）、好ましくは上端開放部３２の近傍の外側表面部位には、一対の凹状の摘み部３５，３５が形成されている。この一対の摘み部３５，３５は、上記の外側表面部位であって、左右両側方に対し相反する側に臨む一対の表面部位に配置されたものであり、この一対の摘み部３５を患者の親指と小指とで挟んで摘み上げるようになっている。具体的には、各摘み部３５は、図３にも示すように、上下方向断面において全体が極浅いＶの字状に凹まされた凹み面３５１と、この凹み面３５１に対し１又は２以上の所定数（図例では２本）形成された縦リブ３５２，３５２とを備えて構成されている。各縦リブ３５２は上下方向に配設され、細幅でかつ外側に向けて僅かに突出するように形成されている。以上の凹み面３５１及び縦リブ３５２，３５２は共に滑らかな屈曲面により構成されている。これは、摘み部３５の機能・性能として、錘体２を支える上で引っ掛かり等の上下方向の段差もしくは凹凸等を積極的に形成して容易かつ確実に摘み得るようにするのではなくて、図４に示すように親指Ｐと小指Ｋとで摘む部位を使用者に対し明確に特定し、一応の摘み易さを僅かに発揮はするものの、その「摘み易さ」は使用者が摘むという自発的意思を積極的に発揮して初めて摘み続けることができる程度に止まる。言い換えれば、上記の如き自発的意思を発揮しない限り摘み続けることができず、親指と小指との間から滑り落ちてしまう程度に止まる。このため、上記の如く各摘み部３５は滑らかな屈曲面により形成され、凹凸を形成するにしても上下方向に生じる凹凸ではなくて水平方向に凹凸が生じるように形成される。従って、上記の例えばリブ３５２，３５２の形成を省略して滑らかに凹状に屈曲する凹み面３５１のみによって摘み部３５を形成するようにしてもよい。凹み面としては上記の如きＶの字状のものに限らず、円弧状の曲面であってもよい。
【００２６】
以上の如きアダプタ３は、合成樹脂成形により形成することができ、好ましくは透明樹脂材料を用いて本体部３１を透明に形成し、内部に装着した錘体２が外部から見えるように、具体的には本体容器２１内に充填した錘材Ｗの多い・少ないが外部から視認することができるようにする。その際、本体容器２１として透明樹脂製のものを選択することが前提となる。
【００２７】
この実施形態のアダプタ３によれば、錘体２を内部に収容し得る外装筒形式のアダプタを提供することができる。このアダプタ３によれば、錘体２と共に自律神経疾患等改善用の運動補助具を容易に構成することができ、一体物で特別に運動補助具を形成する場合と比べ、院所の負担又は使用者としての患者の負担を大幅に軽減することができる。使用時には、錘体２を所定の自重を有するように準備する。まず、上記の錘体２の準備としては、患者の症状，体重，年齢，腕力等に応じた適切な重量分の錘材を開栓状態の本体容器２１内に充填した後に、キャップ２２で閉栓することにより完了する。次に、キャップ２２側を先頭にして錘体２をアダプタ３の上端開放部３２から差し入れるか落とし込むかすれば組み付けが完了し運動補助具が構成される。そして、完成した運動補助具Ｈは、上下方向に細長くて摘み部３５，３５が上端側位置に設定されているため、親指Ｐと小指Ｋとで摘み部３５，３５を摘めば重心はそれよりも下位であるためキャップ２２を下にして鉛直に垂下させた状態で吊り下げ支持することができ、前述の利き手・利き足理論に基づく自律神経疾患等改善のための運動療法に用いる運動補助具Ｈとして好適なものを提供することができるようになる。
【００２８】
なお、本実施形態ではアダプタ３の上端開放部３２として上端面が開口とされたものを例示しているが、これに限らず、本体部３１に対し何らかの蓋部を開閉可能に結合したもので上端開放部を構成し、その蓋部の開状態において上端面から錘体２が挿入し得るように開口するように構成されていればよい。
【００２９】
＜第２実施形態＞
図５は、本発明の第２実施形態に係る折り畳みプレート形式のアダプタの一例としてアダプタ４を示す。なお、本実施形態において用いる錘体２は第１実施形態で説明したものと同様構成のものであるため、同一構成要素には同一符号を付してその詳細な説明は省略する。
【００３０】
上記アダプタ４は、キャップ２２を下にした錘体２の胴部２１２を左右両側方から挟み込むプレート状の本体部５と、上記錘体２の胴部２１が両側方から挟み込まれた状態を維持して錘体２が本体部５から脱落しないように本体部５同士を抱え込むように連結する連結手段６とを備えている。
【００３１】
上記本体部５は、一対の側片５１，５１と、一対の側片５１，５１の間に介在される中央片５２とで基本構成されている。本実施形態では、さらに、一対の側片５１，５１から中央片５２への遷移区間として使用状態（図５に示す状態）で斜めに配置されることになるテーパ片５３，５３も付随させて本体部５を構成している。側片５１、テーパ片５３、中央片５２、テーパ片５３及び側片５１は相隣接する境界線位置に折り目５１１，５１２，５１３，５１４が形成され、この折り目５１１〜５１４により折り畳み可能に連結されている。この折り目５１１〜５１４によって、側片５１、テーパ片５３、中央片５２、テーパ片５３及び側片５１が一平面状に展開された展開状態又は折り目５１２又は５１３で折り畳んで一対の側片５１，５１を互いに重ね合わせた折り畳み状態にした不使用保管状態と、図５に示すように中央片５２を下位置で水平にしかつ上記一対の側片５１，５１が相対向して互いに平行に起立して両者間に上記錘体２の本体容器２１の胴部２１２を左右両側から挟み込んだ使用状態とに相互に変形可能となっている。
【００３２】
そして、上記使用状態においては下端位置に位置する中央片５２の中央には、上記錘体２のキャップ２２及び頚部２１１が上から下に挿入可能でかつその胴部２１２よりも小径に設定されて上記頚部２１１の挿入によりこの頚部２１１を下にした状態で上記錘体２を保持し得る保持孔部５４が貫通形成されている。又、上記の使用状態においては上端位置となる一対の側片５１，５１の各先端部側の外側表面部位には、滑らかな屈曲面により構成された凹状の摘み部５５が形成されている。この摘み部５５は、第１実施形態で説明した摘み部３５と同様のコンセプトにより構成され、具体例としては、上下方向断面において全体が極浅いＶの字状に凹まされた凹み面３５１と、この凹み面３５１に対し１又は２以上の所定数（図例では２本）形成された縦リブ３５２，３５２とを備えて構成されている。
【００３３】
又、上記連結手段６は、上記本体部５の一対の側片５１，５１間に上記錘体２を挟み込んだ使用状態において、その一対の側片５１，５１の周囲を抱え込んで互いに連結した状態に仮固定するように構成されている。具体的には、上記連結手段６として、無端リング状のゴムベルト６１の一部をいずれかの側片５１に対しカシメ鋲６２により固定したもので構成すればよい。ゴムベルト６１の代わりに自在ファスナ付きのベルトを用いてもよい。カシメ鋲６２により固定するのは本体部５と分離して逸失してしまうのを防止するためであり、かかる固定を省略してもよい。又、さらにかかる連結手段６を本体部５に組み合わせてアダプタ４を構成しているが、連結手段６を省略して本体部５のみでアダプタを構成してもよい。一対の摘み部５５，５５を摘んで患者が運動補助具として使用する状態では、その摘む行為により錘体２は一対の側片５１，５１により挟み付けられた状態になるからである。
【００３４】
以上の如きアダプタ４の本体部５は、合成樹脂成形により形成することができる。第２実施形態の場合には、透明樹脂材料を用いて透明に形成しても、色付きの樹脂材料を用いて着色のものに形成しても、いずれでもよい。錘体２が一対の側片５１，５１の間から視認することができるためである。又、硬質合成樹脂材料を用いて形成する場合には本実施形態が好適なものとなる。
【００３５】
この実施形態のアダプタ４によれば、錘体２を内部に収容し得る折り畳みプレート形式のアダプタを提供することができる。そして、第１実施形態のアダプタ３の場合と同様に、錘体２と共に自律神経疾患等改善用の運動補助具を容易に構成することができ、一体物で特別に運動補助具を形成する場合と比べ、院所の負担又は使用者としての患者の負担を大幅に軽減することができる。又、この実施形態の場合には、非使用時には、本体部５を折り目５１２又は５１３で折り曲げて折り畳むことができ、コンパクトに収納可能で保管・携帯を容易に行うことができる。
【００３６】
使用時には、まず、錘体２を所定の自重を有するように第１実施形態で説明したと同様に準備する。次に、キャップ２２側を下にして錘体２を本体部５の一対の側片５１，５１間に差し入れて、キャップ２２を中央片５２の保持孔部５４に挿入させる。最後に、連結手段６で内側に錘体２を挟んだ状態の一対の側片５１，５１の周囲を締め付ける。以上で運動補助具が構成される。そして、完成した運動補助具Ｈは、第１実施形態の場合と同様に、親指と小指とで摘み部５５，５５を摘めば重心はそれよりも下位であるためキャップ２２を下にして鉛直に垂下させた状態で吊り下げ支持することができ、前述の利き手・利き足理論に基づく自律神経疾患等改善のための運動療法に用いる運動補助具Ｈとして好適なものを提供することができるようになる。
【００３７】
＜第３実施形態＞
図６は、本発明の第３実施形態に係る杆状・帯板状・つる状又は紐状形式のアダプタの一例としてアダプタ７を示す。なお、本実施形態において用いる錘体２は第１実施形態で説明したものと同様構成のものであるため、同一構成要素には同一符号を付してその詳細な説明は省略する。
【００３８】
このアダプタ７は、杆状又は帯板状で骨格部分のみで形成された合成樹脂製の本体部７１を備えている。この本体部７１は、内側に保持孔部７２を区画形成する中央リング部７３と、中央リング部７３の外周端であって左右両側位置から相反する側にそれぞれ延びる延長杆部７４，７４と、この両延長杆部７４，７４の先端側各位置に一端が連結される平面状の小片部７５，７５と、両小片部７５，７５の他端からそれぞれ延びて互いに連結可能な連結片部７６，７６とが合成樹脂成形により一体に形成されたものである。
【００３９】
上記保持孔部７２は、他の実施形態の保持孔部３４，５４と同様の内径を有し、上記錘体２の頚部２１１が上から下に挿入可能でかつその胴部２１２よりも小径に設定されて上記頚部２１１の挿入によりこの頚部２１１を下にした状態で上記錘体２を保持し得るように形成されている。
【００４０】
上記各小片部７５の外側表面には滑らかな屈曲面により構成された凹状の摘み部７７が形成されている。逆に言えば、各小片部７５は摘み部７７が形成し得る程度に上記各延長杆部７４の幅を広げて小平面を形成したものである。各摘み部７７は第１実施形態で説明した摘み部３５と同様のコンセプトにより構成され、具体例としては、上下方向断面において全体が極浅いＶの字状に凹まされた凹み面３５１と、この凹み面３５１に対し１又は２以上の所定数（図例では２本）形成された縦リブ３５２，３５２とを備えて構成されている。
【００４１】
連結片部７６，７６は錘体２の本体容器２１の底部を覆い得る程度に各小片部７５から突出されたものであり、各先端にはスナップリング又は自在ファスナ等の係脱可能な仮止め部材７６１が設けられている。
【００４２】
以上の如きアダプタ７の本体部７１は軟質合成樹脂材料を用いて屈曲自在に形成するのが好ましく、図６の例では本体部７１を薄肉厚の帯板状に形成したものを示したが、小片部７５，７５を除けば他はつる状・紐状のもので形成することができる。
【００４３】
この実施形態のアダプタ７によれば、錘体２を内部に収容し得る帯板形式のアダプタを提供することができる。そして、第１実施形態のアダプタ３の場合と同様に、錘体２と共に自律神経疾患等改善用の運動補助具を容易に構成することができ、一体物で特別に運動補助具を形成する場合と比べ、院所の負担又は使用者としての患者の負担を大幅に軽減することができる。又、この実施形態の場合には、非使用時には、極めてコンパクトに収納可能で保管・携帯を容易に行うことができる。
【００４４】
使用時には、まず、錘体２を所定の自重を有するように第１実施形態で説明したと同様に準備する。次に、キャップ２２及び頚部２１１を保持孔部７２に差し込み、両延長杆部７４，７４を錘体２の胴部２１２から底部まで延ばし、底部に回した連結片部７６，７６を互いに連結すれば、運動補助具が構成される。そして、完成した運動補助具Ｈは、第１実施形態の場合と同様に、キャップ２２を下位置にし上位置にした摘み部７７，７７を親指と小指とで摘めば重心はそれよりも下位となるためキャップ２２を下にして鉛直に垂下させた状態で吊り下げ支持することができ、前述の利き手・利き足理論に基づく自律神経疾患等改善のための運動療法に用いる運動補助具Ｈとして好適なものを提供することができるようになる。
【００４５】
＜他の実施形態＞
なお、本発明は上記第１〜第３実施形態に限定されるものではなく、その他種々の実施形態を包含するものである。すなわち、上記第１〜第３実施形態では、錘体２としてペットボトルを用いた例を示したが、これに限らず、種々の重量を有する同様形状の錘体を別途形成してアダプタ３，４，７に組み合わせるようにしてもよい。
【００４６】
上記第１〜第３実施形態で示した摘み部３５，５５，７７とは異なる具体形状を採用してもよい。例えば図７に第２実施形態の側片５１に形成する場合を例にして示すように、図７（ａ）の摘み部８１では各実施形態と同様の屈曲面３５１に対し各実施形態とは異なる縦リブ３５３，３５３を形成している。この縦リブ３５３としては、上下各側に進むほど高さが低減して屈曲面３５１に合致するようにして、患者の「摘む」いう自発的意思をより発揮させ得るように形成している。図７（ｂ）の摘み部８２では縦リブ３５２，３５３等の形成を省略して屈曲面３５１のみで構成している。さらに、図７（ｃ）の摘み部８３では屈曲面３５１に代えて凹状の湾曲面８３１により構成している。
【００４７】
上記第１〜第３実施形態では保持孔部３４，５４，７２として貫通孔を示したが、これに限らず、筒状部の上端開口でも、狭窄部の開口でも、いずれによって保持孔部を構成してもよい。例えば、図８（ａ）に示すように錘体２のキャップ２２及び頚部２１１の一部が挿入可能な筒状部９１を第１〜第３実施形態のいずれかのアダプタに備え、その筒状部９１の上端開口９２により保持孔部を構成してもよい。又、図８（ｂ）に示すようにアダプタの下端側に脚部９３を形成する一方、この脚部９３の上側位置に狭窄部９４を形成し、この狭窄部９４の開口９５により保持孔部を構成するようにしてもよい。特に図８（ｂ）の場合には脚部９３により、内部に錘体２を収容した状態のまま起立状態で保管、仮置きすることができる。
【産業上の利用可能性】
【００４８】
本発明は、リハビリテーション等の運動補助具を製造し、病院・診療所等の院所あるいは患者個人に対し提供するという産業分野において利用可能である。
【図面の簡単な説明】
【００４９】
【図１】本発明の第１実施形態のアダプタ及びこのアダプタを用いた運動補助具を示す斜視図である。
【図２】図１のアダプタを示す斜視図である。
【図３】図２のアダプタの上部の部分縦断面説明図である。
【図４】図１の運動補助具の使用状態例を示す斜視図である。
【図５】第２実施形態のアダプタを示す斜視図である。
【図６】第３実施形態のアダプタを示す斜視図である。
【図７】摘み部の他の形状例の部分斜視図を示し、図７（ａ）は縦リブを用いたもの、図７（ｂ）は屈曲面のみで構成したもの、図７（ｃ）は湾曲面で構成したものである。
【図８】他の形態の断面説明図を示し、図８（ａ）は筒状部を形成したもの、図８（ｂ）は脚部と狭窄部を形成したものである。
【符号の説明】
【００５０】
２          錘体
３，４，７  アダプタ
５          本体部
６          連結手段
２１        本体容器
２２        キャップ（開閉キャップ）
３１        本体部
３２        上端開放部
３４        保持孔部
５１        側片
５２        中央片
５４        保持孔部
７１        本体部
７２        保持孔部
７３        中央リング部
７４        延長杆部
７５        小片部
７６        連結片部
３５，５５，７７        摘み部
８１〜８３  摘み部
２１１      頚部
２１２      胴部
Ｗ          錘材
【図１】
2007330482.tif 000003
【図２】
2007330482.tif 000004
【図３】
2007330482.tif 000005
【図４】
2007330482.tif 000006
【図５】
2007330482.tif 000007
【図６】
2007330482.tif 000008
【図７】
2007330482.tif 000009
【図８】
2007330482.tif 000010